(57)【要約】      （修正有）【課題】捕獲檻に入った獲物は逃さず捕獲できるように罠の仕掛けにも細心の注意を払い、複雑な機械装置や電装装置などは使わず単純な梃子の応用のみで一連の装置を正確に作動させることを可能とした野生動物捕獲檻の装置を提供する。【解決手段】閉鎖パネル２、２は檻本体１の左右の開口部の１１、１１の両サイドに設けられたガイドレール７に昇降自在に抱持され檻本体１の開口部１１，１１の上側に立設された支柱５、５に設けられた天秤６、６を介してワイヤー１３からワイヤー保持棒１６へと続き更に突支い棒１７で罠の緊張関係が保たれている、害獣が罠紐１８に掛かると突支い棒１７が外されすべてのバランスが崩れて閉鎖パネル２、２が落下して着地と同時にロック機構が作動して閉鎖パネル２、２の持ち上げを阻止する。【選択図】図１
0003179233.tif 000002
【実用新案登録請求の範囲】
【請求項１】
方形の隔壁パネルで組み立てた横長の立方体で長手方向の両側面を解放し出入りのための開口部とした檻本体の前記開口部の左右の保護枠にガイドレールを設け、該ガイドレールには開口部を開閉する昇降自在の閉鎖パネルを緩挿した動物捕獲檻で、檻本体の内側でユニット基板の仕掛け装置が操作出来るように檻本体の正面中央の接地部近傍の隔壁格子の桟にユニット基板の仕掛け装置を檻本体の内側にして狭着し、ユニット基板のブラケットに軸支されたワイヤー保持棒の後部先端に更に軸支されている突支い棒に罠紐の一端を締結し他端を檻本体の内部を横切るように該檻本体の背面の隔壁格子の桟に締結して罠を仕掛け、同時に突支い棒を強く押し立ててワイヤー保持棒の前部先端を斜め下向きにして４５度〜６０度の角度で固定し、前記檻本体の左右両側の開口部の天板中央部に立設している支柱の先端部に軸支された天秤の一端に張設用のワイヤーを係止し、該天秤の他端には閉鎖パネルを係止して懸吊し、前記ワイヤーの中央部を前記ワイヤー保持棒の先端に設けたワイヤー保持部に係止し、該ワイヤーをＶ字型に張設して罠を仕掛け動物が罠に掛かり閉鎖パネルが落下し着地すると同時に、前記ガイドレールに軸支されているロック機構が自動的に作動し閉鎖パネルの持ち上げを防止する動物捕獲檻の装置。
【請求項２】
前記ユニット基板の中央に長穴を縦に穿設し、該長穴を貫通してワイヤー保持棒の先  端に設けたワイヤー係止部が表側に突き出るようにして裏側でブラケットに軸支し、更  に他端に伸びるワイヤー保持棒の先端近傍に突支い棒を軸支したことを特徴としたユニ  ット基板。
【請求項３】
前記ワイヤー保持棒の先端をＵ字型に切欠しワイヤーコースを装着してワイヤー係止部を形成しワイヤーの損傷を防ぐとともにワイヤーを滑らかに解放することを特徴とした請求項２記載のワイヤー保持棒。
【請求項４】
前記突支い棒の中央部から下部の接地面に向けて複数の凹部を設け罠紐の締結位置を変えることで突支い棒の支持力が変わり小動物から大型獣まで、あらかじめ選別して罠を仕掛けることが出来ることを特徴とした請求項２記載の突支い棒。
【請求項５】
前記ガイドレールに軸支されたロックバーはイノシシの脱出防止のロックで、イノシシは鼻先で閉鎖パネルを持ち上げ脱出を図るため施錠が必要となる、そこでガイドレールに軸支されたロックバーは閉鎖パネルの懸吊時は閉鎖パネルの枠に沿うように倒立状態で静止しているが軸支の位置が閉鎖パネルの着地時の高さより数センチ高い位置にあるためロックバーは閉鎖パネルの枠から解放され、重みで垂直になろうとするがチエンに制止されて水平状態となり閉鎖パネルの上に先端を突き出し該閉鎖パネルの上昇を自動的に妨げるロック機能を持つことを特徴とした請求項１記載の動物捕獲檻の自動ロック構造。
【請求項６】
前記ガイドレールに軸支されたＬ字形ロックは前述のとおりイノシシの脱出防止のロックで、Ｌ字形ロックは閉鎖パネルの懸吊時は閉鎖パネルの枠に沿って、うつむき状態で静止しているが軸支の位置が閉鎖パネルの着地時の高さより数センチ高い位置にあるためＬ字形ロックは閉鎖パネルの枠から解放され、重みで長手方向が自然に垂直になり短径（短い方）部分は水平となり閉鎖パネルの枠の上に突き出て、閉鎖パネルを持ち上げると短径部分が押し上げられ長手方向の下端が閉鎖パネルの枠に当たり自動的に上昇を妨げロック機能を働かせることを特徴とした請求項１記載の動物捕獲檻の自動ロック装置。
【請求項７】
支柱の先端部近傍に軸支された天秤の一端にワイヤーを係止し他端に閉鎖パネルを懸吊し左右の閉鎖パネルの高低差の調整を安全に行うために、前記天秤が揺れないように支柱に軸支したことを特徴とした請求項１記載の動物捕獲檻。
【考案の詳細な説明】
【技術分野】
【０００１】  本考案は、猪、猿、熊、鹿等の有害動物を捕獲するための野生動物捕獲檻に関する。
【背景技術】
【０００２】  近年、猪や熊や鹿、野猿などが山間地の民家近くまで現れて農作物を食い荒らし農家は大きな被害を被っている、これを避けるために田畑に防護柵を巡らせているが、防護柵の設置には労力と費用が嵩むうえ、万全とはいえず、山間地では耕作放棄にまで追い込まれている農家もあるのが現状であり、害獣の駆除対策としては、銃による狩猟、捕獲檻やくくり罠等による捕獲駆除が行われているが、猪や熊が人家近くに出没することが多くなって、人に危害を及ぼすこともしばしば報道されるようになり、山間部では自治体が推奨して害獣駆除に乗り出し捕獲檻が多用され始め、檻の技術改良が求められている。【０００３】  このように野生動物の捕獲には、様々な捕獲用の檻や罠が用いられており、檻本体には基本的な構造に大差はないが、例えば特許文献１には、上下動可能な落下扉を檻本体の各入り口の上方に設けた上桟に天秤を吊り下げ係止具を介して罠紐に連結して成る捕獲檻で、動物が罠に掛かると天秤の平衡が崩れ落下扉を開放し、各入り口を同時に閉鎖して動物を捕獲する技術が開示されているが天秤が上桟から吊り下げられている以上常に不安定で揺れ動く状態であるため、必ずしも落下扉が同時に開放され落下することはなく必ず一秒以上の時間差が生じ、警戒心が強く敏感な猪は反射的に飛び跳ね音のしない方から脱出し逃走に成功するケースが多々ある。
【先行技術文献】
【０００４】
【特許文献１】特開２００５−５２００５号公報
【考案の概要】
【考案が解決しようとする課題】
【０００５】  しかしながら、警戒心の強い野生動物を効率よく捕獲する方法はいろいろ考えられるが、先ず野生動物の習性と学習能力を理解した上で罠を仕掛けなければならない、例えば開口部が閉鎖されていながら肝心の獲物が居ないことがある、よく調べてみると撒き餌も食われているから檻の中に入って罠紐に掛かったことは間違いない、更に調べると落下扉の下枠に猪の体毛がついているのに気付き一瞬の差で逃げられたことが理解できる。【０００６】  このことから推測すると前記落下扉の着地時間のわずかの差が猪の脱出を助けたことにつながると推測される、即ち、要である天秤が不安定な宙づり状態で更に落下扉を懸吊しているため、両方の落下扉を開放するときのタイミングにずれが生ずるからである。【０００７】  本考案は、このような従来の構成が有していた課題を解決しようとするものであり、捕獲檻に入った獲物は逃さず捕獲できるように罠の仕掛けにも細心の注意を払い、複雑な機械装置や電装装置などは使わず単純な梃子の応用のみで一連の装置を正確に作動させ猪には一瞬の隙も与えない装置で前述の課題を解決しようとするものである。
【課題を解決するための手段】
【０００８】  本考案は、上記目的を達成するために檻本体の左右両側の開口部を強靭な保護枠で囲み、該保護枠にガイドレールを設置して閉鎖パネルの昇降路を形成し、該昇降路に昇降自在の閉鎖パネルを緩挿する、そして前記開口部の保護枠の天板の中央に立設された支柱の先端近傍に回動自在に軸支された天秤の一端に閉鎖パネルを掛け金で懸吊し、他端には罠紐に連動したワイヤーが係止され天秤の平衡が保たれ閉鎖パネルは懸吊状態となるがガイドレールに抱持されていて横揺れもなく安定して懸吊に耐える。【０００９】  前記ワイヤーはユニット基板に設けられたワイヤー保持棒の前部先端に設けられたワイヤーコースに着脱自在に係止され、左右均等に張設されていて動物が罠に掛かったときは、ワイヤーはワイヤー保持棒から滑らかに解き放され張力を失い、左右両側の天秤は同時に一瞬にして閉鎖パネルを解放し、該閉鎖パネルは一秒の時差もなく同時に落下着地して左右両側の開口部を閉鎖し動物に逃げる隙を与えず確実に包囲し捕獲する。【００１０】  前記ワイヤー保持棒は、檻本体の内部でユニット基板に設けられたブラケットに回動自在に軸支され、その後方先端部で、更に突支い棒に回動自在に軸支されて、該突支い棒に支えられがっちりと安定してワイヤーの張設を保っている。【００１１】前記突支い棒は、檻本体の内部にあって上端部でワイヤー保持棒に回動自在に軸支され下端は接地部で撒き餌床又は平滑な受け皿を敷き地面に潜るのを防ぎ一連の仕掛けの安定を図る、前記突支い棒には中央より下端に向けて複数の引張り強度調節部が設けられており目当ての動物の大きさに合わせて罠紐の位置を変えることで無駄を省くことが出来る。【００１２】  例えば熊や猪と鹿や猿では罠紐が作動する時の力が違うので熊や猪を狙うときは鹿や猿に邪魔されないように上部の調節部に罠紐を締結すれば鹿や猿が檻に入っても彼らの体力では突支い棒は倒れないので餌は食われても仕掛けの再設定の手間が省ける。【００１３】  前記罠紐は目的に合わせて突支い棒の引張り強度調節部に締結し檻本体の背面の隔壁格子の桟に張設する、動物がこの罠紐に掛かると突支い棒が引き倒され、該突支い棒に軸支されたワイヤー保持棒は支持力を失いその先端は上向きになりワイヤーは自ずと解放され、ワイヤーに支えられていた天秤は閉鎖パネルを懸吊する力を失い、該閉鎖パネルは解放され瞬時に落下着地し左右両側の開口部を同時に閉鎖し獲物を囲い捕獲する。【００１４】  逃げ場を失った熊や猪は檻の中で暴れ回るうちに閉鎖パネルが動くことを学習し、ついには閉鎖パネルを持ち上げて脱出することが多々ある、そこで閉鎖パネルの持ち上げを防ぐ方策が求められ様々なロック機構が提案されているが、いずれの提案も檻に近づいて素手で解錠するものや複雑な機械装置や電装装置ばかりで、野外で雨ざらしのため故障が多く、解錠のために檻に近づいて熊や猿に襲われる事故が多く報告されている。【００１５】  本考案では、極めてシンプルな一文字型のロックバー及びＬ字形ロックを開発し閉鎖パネルが落下着地すると同時にロック機能が働き動物の知恵では脱出は不可能となるが、ロック機構の軸支位置より長手方向の先端に長い紐を繋いで少し離れた小枝等に縛っておき、この紐を遠���から引っ張ってロック機構の長手方向を垂直に立てれば解錠される、この状態で紐を立木や小枝等に固定しておけば熊は閉鎖パネルを自力で持ち上げて山へ逃げ帰るので、紐を使った遠隔操作で解錠して逃がしてやることが出来るので安全である。
【考案の効果】
【００１６】  上述したように本考案の野生動物捕獲檻は、動物の警戒心と学習能力と敏捷性を考慮した、開口部の閉鎖機構とロック機構を開発したことで安全性を高め捕獲率の向上が図れた。【００１７】  また、本考案の野生動物捕獲檻は、道路から離れた山中に設置するため足場の悪い山中では運搬に困窮するのは当然であるが、この難題を少しでも解消するために、横長の立方体の檻本体は、２対１の方形に形成された独立の隔壁パネルを現地で組み立て式に構成されているので、足場の悪い山中でも体力にあわせてパネルを運べば楽に運搬、移動が可能であり山中での設置作業の時間短縮と危険回避の効果がある。
【図面の簡単な説明】
【００１８】
【図１】  本考案の実施形態を示す野生動物捕獲檻の正面図である
【図２】  同野生動物捕獲檻の閉鎖パネル及び天秤の実施形態を示す斜視図である
【図３】  同ユニット基板を外側から見た実施形態を示す斜視図である
【図４】  同ユニット基板の図３におけるＡ−Ａ線断面図である。
【図５】  同ユニット基板を檻の内側から見た実施形態を示す斜視図である。
【図６】  同隔壁の独立パネルの実施の形態を示す斜視図である。
【図７】  同ロックバーの解錠状態を示す実施形態の側面図である。
【図８】  同ロックバーのロック状態を示す実施形態の側面図である。
【図９】  同Ｌ字形ロックの解錠状態を示す実施形態の側面図である。
【図１０】  同Ｌ字形ロックのロック状態を示す実施形態の側面図である。
【考案を実施するための形態】
【００１９】  以下、本考案の実施形態を図１〜図１０に基づいて説明すれば、図１は野生動物捕獲檻で、外部との隔壁を独立パネル３０でボルト又はクリップで組み立てて、横長の立方体に形成された檻本体１の左右両側に動物が出入りするための開口部１１，１１を設け、図２に示す閉鎖パネル２，２が支柱５、５の先端部に軸支されている天秤６，６の一端に係止され、ガイドレール７，７に緩挿、抱持され横揺れを抑えて懸吊する、前記天秤６，６の他端にはリング１２にワイヤー１３がフック１９で係止され、該ワイヤー１３は、図３に示すとおり、ユニット基板１５の裏側から斜め下向きに４５度〜６０度の角度で突出しているワイヤー保持棒１６の先端に設けられたワイヤー保持部２６に係止され、該ワイヤー１３はＶ字型を形成し張設さる。
【００２０】  ワイヤー保持部２６から導かれるワイヤー１３のＶ字型の張設形状は、閉鎖パネル２，２の落下と懸吊の高さの調節に欠くことの出来ない仕掛けの要素である。
【００２１】  図４に示す、ユニット基板１５は図３のＡ−Ａ線の断面図で、ブラケット２５の支点１４Ｃに軸支されたワイヤー保持棒１６は長穴２７を貫通してユニット基板１５の前面に突出させ、その先端を半円形に切欠してワイヤー保持部２６を形成し、屈曲によるワイヤーの消耗を緩和するためにワイヤーコース２１が溶着されているのでワイヤーの消耗が少なくしかも離脱が滑らかで顕著な効果がある。
【００２２】  ワイヤー保持棒１６の後端には突支い棒１７が支点１４Ｄに軸支されていて突支い棒１７には引張り強度調節部２２が設けてあり罠紐１８を任意の位置に締結する。
【００２３】  ユニット基板１５は図１と図３及び図５に示すとおり檻本体１の正面中央の下端近傍の隔壁格子の縦桟２４に狭着し、ブラケット２５の支点１４Ｃで軸支されているワイヤー保持棒１６の支点１４Ｄを突支い棒１７で強く押し上げて前記ワイヤー保持棒１６のワイヤー保持部２６を斜め下向きに４５度〜６０度の角度にして罠の仕掛けを固定する。
【００２４】  そこで、ワイヤー１３の中心部をワイヤー保持部２６に係止し仮止めされている閉鎖パネル２、２の懸吊状態を調整する。
【００２５】  次に、罠紐１８の一方を突支い棒１７の引張り強度調節部２２に締結し他方を檻本体１の背面隔壁格子の桟に張設する。
【００２６】  撒き餌は動物が罠紐１８に掛かるように配置し罠紐をカモフラージュして一連の設置工程を終え、図示しないが作業中に閉鎖パネルの落下事故を防ぐために設けられている仮止の安全キーを解除する。
【００２７】  図７，図８において本考案の檻に捕捉された猪や熊の脱出を防止するために設けられたロック機構で、ガイドレール７に設けた支点１４Ｂにロックバー８を軸支し支点１４Ｂより長手方向の先端部にチエンの一方を固着し，他方をガイドレール７に固着すれば互いに引っ張り合う三角形が形成され、底辺のロックバー８が自動的にロック機能を果たす。
【００２８】  図９，図１０においては前記ロックバー８と同じくＬ字形ロック３３を支点１４Ｂに軸支して、閉鎖パネルを持ち上げれば長手方向と短径方向の傾きによって自動的にロック機能が働く。
【実施例】
【００２９】  以下添付図面に従って本考案の実施例を説明する、図１において檻本体１は図６に示す独立パネル３０をボルト又はクリップで組み合わせて横長の立方体を形成したもので、山中の現場の状況に合わせて大きさを自由に変えることが出来、しかも独立パネル３０は一枚の重量が軽量であるため足場の悪い山道を持ち運ぶにも安全であるし組み立ても簡単で速やかに出来る。【００３０】  前記檻本体１の左右両側は解放された開口部１１，１１で、保護枠１０，１０の天板上に支柱５、５が立設され、該支柱５、５の先端部に天秤６，６が支点１４Ａに軸支されており、前記開口部１１，１１を閉じるための閉鎖パネル２，２が天秤６，６の一端に懸吊され、該天秤６，６の他端にはワイヤー１３が係止される、該ワイヤー１３は中央部がワイヤー保持棒１６のワイヤー係止部に係止されＶ字型に張設されて、檻本体１の内部に仕掛けられた罠紐１８に掛かった動物の力で突支い棒１７が引き倒されるとワイヤー保持棒１６が保持力を失いバランスを崩してワイヤー１３を解放し、該ワイヤー１３は天秤６，６を解放し天秤６，６は閉鎖パネル２，２を解放して落下させ前記開口部１１，１１を閉鎖して獲物を囲い捕獲する。【００３１】  図２において天秤６は前述の通り支柱５に回動自在に軸支されており、一端に閉鎖パネル２を懸吊し他端の係止用リング１２にワイヤー１３のフック１９を係止しして図１に示したようにワイヤー１３がＶ字型になるように張設する。【００３２】  図３においてユニット基板１５は隔壁格子の縦桟２４に狭着し、檻の内側からワイヤー保持棒１６が外に突き出るように装着されており、該ワイヤー保持棒１６の先端にワイヤー１３を係止すればワイヤー１３はＶ字型を形成するのでバランスを整え安い。【００３３】  図４においてはユニット基板１５のＡ−Ａ線断面図で、ブラケット２５の支点１４Ｃに軸支されたワイヤー保持棒１６の前部先端のワイヤー係止部２６にワイヤーコース２１を溶着しワイヤー１３の屈曲部の疲労を緩和し、同時にワイヤー１３の離脱を滑らかにする。【００３４】  前記ワイヤー保持棒１６の後部の先端部で支点１４Ｄに軸支されている突支い棒１７には引張り強度調節部を設け狙った獲物にあわせて罠紐の位置を調節することが出来る。【００３５】  図５において檻本体１の内側から見たユニット基板１５の斜視図である、該ユニット基板１５は隔壁格子３２の縦桟２４に取り付け金具２８で狭着されており、ユニット基板１５の中央に穿設された長穴２７の縁にブラケット２５が設けられ、該ブラケット２５の支点１４Ｃに軸支されたワイヤー保持棒１６の後部の先端部の支点１４Ｄに軸支されている突支い棒１７の引張り強度調節部２２に罠紐１８を締結して前述のように罠を仕掛ける。【００３６】  図６において独立パネル３０の斜視図である、前述のように独立パネル３０は２対１の方形で形成されていて、しかも枠のボルト穴２９は全て等間隔に設けられているので相手を選ばず無差別に組み立てかできるため、初心者でも簡単に短時間で設置ができる。【００３７】  図７においてロックバー８は、ガイドレール７に設けられた支点１４Ｂに軸支されており、懸吊時の閉鎖パネル２の枠３に沿うように縦になって倒立状態で静止している。【００３８】  図８において閉鎖パネル２が落下するとロックバー８は支えを失い自然に垂直になろうとするが、支点１４Ｂから長手方向をチエン９に制止されて水平になり、その他端が閉鎖パネル２の枠３の上に突き出してロック機能が働き、獲物が閉鎖パネル２を持ち上げようとしてもその先端で上昇を妨げ脱出を防ぐことが出来る。【００３９】  しかしながら、熊などを逃がしてやるときは、危険回避のため解錠用ロープ２０を使って遠方からロックバー８を垂直にしてやればロック機能は解除され、熊は自からの知恵で閉鎖パネル２を持ち上げて脱出する。【００４０】  図９においてＬ字形ロック３３は、ガイドレール７に設けられた支点１４Ｂに軸支されており、懸吊時の閉鎖パネル２の枠３に沿うようにうつむき状態で静止している。【００４１】  図１０において閉鎖パネル２が落下するとＬ字形ロック３３は支えを失い重力で長手方向が自然に垂直になり、短径方向は水平になり閉鎖パネル２の枠３の上に突き出してロック機能が働き、閉鎖パネル２を持ち上げるとＬ字形ロック３３の短径部分が枠３によって押し上げられ、該Ｌ字形ロック３３の長手方向の下端が閉鎖パネル２の枠３に当たりロック機能が働くので自動的に上昇を妨げ獲物の脱出を防ぐことが出来る。
【産業上の利用可能性】
【００４２】  人里に出没して農作物を食い荒らし、時には人にまで被害を及ぼすことも報告されている昨今、こうした野生動物の駆除が急務となり、自治体の奨めで動物の捕獲檻の需要が増えている中で、商品として流通コストと設置コストの低減が求められるようになった。【００４３】  そこで本考案は前記ニーズに十分応えうるものとして鉄工業界に提供できる。
【符号の説明】
【００４４】１  檻本体
２  閉鎖パネル
３  枠
４  掛け金
５  支柱
６  天秤
７  ガイドレール
８  ロックバー
９  チエン
１０  保護枠
１１  開口部
１２  リング
１３  ワイヤー
１４  支点Ａ，Ｂ，Ｃ，Ｄ
１５  ユニット基板
１６  ワイヤー保持棒
１７  突支い棒
１８  罠紐
１９  フック
２０  解錠用ロープ
２１  ワイヤーコース
２２  引張り強度調節部
２３  横桟
２４  縦桟
２５  ブラケット
２６  ワイヤー保持部
２７  長穴
２８  取付け金具
２９  ボルト穴
３０  独立パネル
３１  独立パネル外枠
３２  隔壁格子
３３  Ｌ字形ロック
【図１】
0003179233.tif 000003
【図２】
0003179233.tif 000004
【図３】
0003179233.tif 000005
【図４】
0003179233.tif 000006
【図５】
0003179233.tif 000007
【図６】
0003179233.tif 000008
【図７】
0003179233.tif 000009
【図８】
0003179233.tif 000010
【図９】
0003179233.tif 000011
【図１０】
0003179233.tif 000012
【手続補正書】
【提出日】平成24年8月3日(2012.8.3)
【手続補正１】
【補正対象書類名】実用新案登録請求の範囲
【補正対象項目名】全文
【補正方法】変更
【補正の内容】
【実用新案登録請求の範囲】
【請求項１】
方形の隔壁パネルで組み立てた横長の立方体で長手方向の両側面を解放し出入りのための開口部とした檻本体の前記開口部の左右の保護枠にガイドレールを設け、該ガイドレールには開口部を開閉する昇降自在の閉鎖パネルを緩挿した動物捕獲檻で、檻本体の内側でユニット基板の仕掛け装置が操作出来るように檻本体の正面中央の接地部近傍の隔壁格子の桟にユニット基板の仕掛け装置を檻本体の内側にして狭着し、ユニット基板のブラケットに軸支されたワイヤー保持棒の後部先端に更に軸支されている突支い棒に罠紐の一端を締結し他端を檻本体の内部を横切るように該檻本体の背面の隔壁格子の桟に締結して罠を仕掛け、同時に突支い棒を強く押し立ててワイヤー保持棒の前部先端を斜め下向きにして４５度〜６０度の角度で固定し、前記檻本体の左右両側の開口部の天板中央部に立設している支柱の先端部に軸支された天秤の一端に張設用のワイヤーを係止し、該天秤の他端には閉鎖パネルを係止して懸吊し、前記ワイヤーの中央部を前記ワイヤー保持棒の先端に設けたワイヤー保持部に係止し、該ワイヤーをＶ字型に張設して罠を仕掛け動物が罠に掛かり閉鎖パネルが落下し着地すると同時に、前記ガイドレールに軸支されているロック機構が自動的に作動し閉鎖パネルの持ち上げを防止する野生動物捕獲檻の装置。
【請求項２】
前記ユニット基板は中央に長穴を縦に穿設し、該長穴を貫通してワイヤー保持棒の先端に設けたワイヤー係止部が表側に突き出るようにして裏側でブラケットに軸支し、更に他端に伸びるワイヤー保持棒の先端近傍に突支い棒を軸支したことを特徴とした請求項１記載の野生動物捕獲檻の装置。
【請求項３】
前記ワイヤー保持棒は先端をＵ字型に切欠しワイヤーコースを装着してワイヤー係止部を形成しワイヤーの損傷を防ぐとともにワイヤーを滑らかに解放することを特徴とした請求項１記載の野生動物捕獲檻の装置。
【請求項４】
前記突支い棒は中央部から下部の接地面に向けて複数の凹部を設け罠紐の締結位置を変えることで突支い棒の支持力が変わり小動物から大型獣まで、あらかじめ選別して罠を仕掛けることが出来ることを特徴とした請求項１記載の野生動物捕獲檻の装置。
【請求項５】
前記ガイドレールに軸支されたロックバーはイノシシの脱出防止のロックで、イノシシは鼻先で閉鎖パネルを持ち上げ脱出を図るため施錠が必要となる、そこでガイドレールに軸支されたロックバーは閉鎖パネルの懸吊時は閉鎖パネルの枠に沿うように倒立状態で静止しているが軸支の位置が閉鎖パネルの着地時の高さより数センチ高い位置にあるためロックバーは閉鎖パネルの枠から解放され、重みで垂直になろうとするがチエンに制止されて水平状態となり閉鎖パネルの上に先端を突き出し該閉鎖パネルの上昇を自動的に妨げるロック機能を持つことを特徴とした請求項１記載の野生動物捕獲檻の装置。
【請求項６】
前記ガイドレールに軸支されたＬ字形ロックは前述のとおりイノシシの脱出防止のロックで、Ｌ字形ロックは閉鎖パネルの懸吊時は閉鎖パネルの枠に沿って、うつむき状態で静止しているが軸支の位置が閉鎖パネルの着地時の高さより数センチ高い位置にあるためＬ字形ロックは閉鎖パネルの枠から解放され、重みで長手方向が自然に垂直になり短径（短い方）部分は水平となり閉鎖パネルの枠の上に突き出て、閉鎖パネルを持ち上げると短径部分が押し上げられ長手方向の下端が閉鎖パネルの枠に当たり自動的に上昇を妨げロック機能を働かせることを特徴とした請求項１記載の野生動物捕獲檻の装置。
【請求項７】
支柱の先端部近傍に軸支された天秤の一端にワイヤーを係止し他端に閉鎖パネルを懸吊し左右の閉鎖パネルの高低差の調整を安全に行うために、前記天秤が揺れないように支柱に軸支したことを特徴とした請求項１記載の野生動物捕獲檻の装置。